(57)【特許請求の範囲】
【請求項１】
腹側部材と背側部材とに帯状の股部材が架け渡されてなる使い捨て下着用の股部材であって、
前記腹側部材に重ねられて接合される腹側接合部と、
前記背側部材に重ねられて接合される背側接合部と、
前記股部材の左右側縁に沿って延在して接合され、各前記腹側接合部及び前記背側接合部との間に間隙を有する、少なくとも一対の股部側縁弾性部材と、
前記股部側縁弾性部材より中央側で前記股部材に接合され、前記股部材に接合された部分の腹側端部が前記腹側接合部と重なり、背側端部が前記背側接合部と重ならず、前記股部側縁弾性部材より張力が強い、少なくとも一対の腹側接続弾性部材とを含むことを特徴とする使い捨て下着用の股部材。
【請求項２】
前記腹側接続弾性部材の前記背側端部が、前記股部側縁弾性部材の背側端部よりも前記腹側接合部寄りにあることを特徴とする請求項１に記載の使い捨て下着用の股部材。
【請求項３】
股部底弾性部材が前記腹側接続弾性部材より中央側で前記股部材に接合されていることを特徴とする請求項１に記載の使い捨て下着用の股部材。
【請求項４】
前記股部材の内部に吸収体が装着され、前記吸収体が前記各弾性部材に重ならない位置にあり、前記吸収体の腹側の最大幅部分の左右外側に前記腹側接続弾性部材が延在し、前記吸収体の背側の最大幅が、前記吸収体の腹側の最大幅以上であって、前記股部材の左右幅よりも狭いことを特徴とする請求項１から３のいずれかに記載の使い捨て下着用の股部材。
【請求項５】
請求項１から４のいずれかの股部材を備えることを特徴とする使い捨て下着。
【発明の詳細な説明】
【技術分野】
【０００１】
本発明は、パンツ型の使い捨ておむつやパッドホルダーなどの使い捨て下着用の股部材、及び該股部材を備えた使い捨て下着に関する。
【背景技術】
【０００２】
従来知られているパンツ型の使い捨ておむつやパッドホルダーなどの使い捨て下着は、腹側部材と背側部材に股部材が架け渡されて接合されている。例えば、特許文献１には、長方形状の腹側部材と長方形状の背側部材とに長方形状の股部材が接合されたパンツ型の使い捨ておむつが示されている。
【０００３】
特許文献２には、ウェブを２分して形成した、長方形において下端縁が上端縁側に台形状に凹んだ形状の腹側部材と、長方形状において下端縁が上端縁と反対側に台形状に突出した形状の背側部材とに、長方形状の股部材が接合された使い捨てのパンツ型おむつが示されている。
【先行技術文献】
【特許文献】
【０００４】
【特許文献１】特開２０１１−７８６４６号公報
【特許文献２】特許第３９１６８７８号公報
【発明の概要】
【発明が解決しようとする課題】
【０００５】
このような使い捨て下着用の股部材は、長方形状などの幅が均一な帯状であれば、原反からトリムを除去するなどの資材の無駄がない。しかし、人体の形状は複雑であり、腹側の鼠蹊部、股間、背側の臀部は形状も幅も異なる。そのため、幅の均一な帯状の股部材は、着用者へのフィット性が悪く、排泄物などが漏れやすい問題がある。
【０００６】
前記課題を解決するため、本発明の目的は、帯状でありながら、フィット性が良く、排泄物の漏れを防止できる股部材、及び、該股部材を備えた使い捨て下着を提供することである。
【課題を解決するための手段】
【０００７】
前記課題を解決するため、本発明の使い捨て下着用の股部材は、腹側部材と背側部材とに帯状の股部材が架け渡されてなる使い捨て下着用の股部材であって、前記腹側部材に重ねられて接合される腹側接合部と、前記背側部材に重ねられて接合される背側接合部と、前記股部材の左右側縁に沿って延在して接合され、各前記腹側接合部及び前記背側接合部との間に間隙を有する、少なくとも一対の股部側縁弾性部材と、前記股部側縁弾性部材より中央側で前記股部材に接合され、前記股部材に接合された部分の腹側端部が前記腹側接合部と重なり、背側端部が前記背側接合部と重ならず、前記股部側縁弾性部材より張力が強い、少なくとも一対の腹側接続弾性部材とを含むことを特徴とする。
【０００８】
本発明の一の態様の股部材は、前記腹側接続弾性部材の前記背側端部が、前記股部側縁弾性部材の背側端部よりも前記腹側接合部寄りにある。本発明の他の態様の股部材は、股部底弾性部材が前記腹側接続弾性部材より中央側で前記股部材に接合されている。本発明の更に他の態様の股部材は、前記股部材の内部に吸収体が装着され、前記吸収体が前記各弾性部材に重ならない位置にあり、前記吸収体の腹側の最大幅部分の左右外側に前記腹側接続弾性部材が延在し、前記吸収体の背側の最大幅が、前記吸収体の腹側の最大幅以上であって、前記股部材の左右幅より狭い。
本発明の一態様の使い捨て下着は、前記のいずれかの股部材を備える。
【０００９】
本発明の更なる詳細、特徴、及び利点は、図面を参照しながら述べる好ましい例示的実施形態についての以下の説明によって、明らかになる。
【図面の簡単な説明】
【００１０】
【図１】本発明の一実施形態に係る使い捨て下着用の股部材の弾性部材を伸長した状態での正面図である。
【図２】図１の股部材のＩＩ−ＩＩ線に沿った模式的断面図である。
【図３】該股部材を備えた使い捨て下着の弾性部材を伸長した状態での展開図である。
【図４】該股部材を備えた使い捨て下着の正面図である。
【図５】該股部材を備えた使い捨て下着の背面図である。
【図６】該股部材を備えた使い捨て下着が着用された状態を示す正面図である。
【図７】該股部材を備えた使い捨て下着が着用された状態を示す背面図である。
【図８】他の実施形態の股部材を備えた使い捨て下着の弾性部材を伸長した状態での展開図である。
【図９】更に他の実施形態の股部材を備えた使い捨て下着の弾性部材を伸長した状態での展開図である。
【発明を実施するための形態】
【００１１】
本発明の一の例示的な実施形態について以下に述べる。
図１は、本発明の一実施形態の股部材４を、弾性部材を伸長した状態で示した正面図である。図２は、図１の股部材４のＩＩ−ＩＩ線に沿った模式的断面図である。図３は、該股部材４を備えた使い捨て下着１の弾性部材を伸長した状態での展開図である。図４及び図５は、該股部材４を備えた使い捨て下着１の正面図及び背面図である。図６及び図７は、該股部材４を備えた使い捨て下着１が着用された状態を示す正面図及び背面図である。
図３から図５に示すように、本実施形態に係る股部材４を備えたパンツ型使い捨ておむつ１は、着用時に着用者の腹側に位置する腹側部材２と、背側に位置する背側部材３と、これらの各中央部２ｃ，３ｃに架け渡されて接合された股部材４とを備える。腹側部材２及び背側部材３は、腹側部材２の胴周り方向の両端部２ａ，２ｂ及び背側部材３の胴周り方向の両端部３ａ，３ｂに沿って形成される両接合部５ａ，５ｂで、互いに接合される。両接合部５ａ，５ｂの下部及びその周辺には、位置決め用接合部Ｋ１，Ｋ２が形成されている。腰開口部６は、腹側部材２の上端縁７及び背側部材３の上端縁８に囲まれて形成される。左右の脚開口部９ａ，９ｂは、腹側部材２の下端縁１０と、背側部材３の下端縁１１と、股部材４の左側縁４ａ又は右側縁４ｂとに囲まれて形成される。腹側部材２及び背側部材３には、各胴周り方向に胴周り弾性部材１２が延在している。腹側部材２の左右の脚開口部９ａ，９ｂには、第１脚周り弾性部材１３が延在している。背側部材３の左右の脚開口部９ａ，９ｂには、第２脚周り弾性部材１４が延在している。非弾性領域Ｐ１，Ｐ２，Ｐ３は、それぞれの領域内に延在する各弾性部材１２，１３，１４の張力を消失させた領域である。股部材４の左右の脚開口部９ａ，９ｂ及びその周辺には、股部弾性部材２５（すなわち、２５ａ，２５ｂ及び２５ｃ）が延在している。
【００１２】
使い捨ておむつ１の内面シート１０１及び外面シート１０２の材料は、ポリエチレン、ポリプロピレン、ポリエステル、ナイロン、レーヨン等の化学繊維、綿、セルロース等の天然繊維、又はこれらの組合せなどからなる不織布である。なお、該材料は、不織布に限らず、樹脂フィルム、ティッシュ、伸縮材、若しくは、それらの積層体、又はそれらを適宜つなぎ合わせてシート状としたものでもよい。  
【００１３】
図１及び図２に示すように、股部材４は、股部材本体である股部シート４と、吸収材２１を上層ティッシュ２２ａ及び下層ティッシュ２２ｂで包んだ吸収体２０と，トップシート２３と、バックシート２４と、股部シート４に伸長された状態で適宜配置される股部弾性部材２５と、腹側接合部Ｊ１及び背側接合部Ｊ２を含んでいる。
【００１４】
図３に示すように、股部材４の本体である股部シート４は、腹側部材２の中央部２ｃと背側部材３の中央部３ｃとに架け渡されて、各内面シート１０１上に接合される。股部シート４は、腹側部材２に重なる面のほぼ全面である腹側接合部Ｊ１、及び、背側部材３に重なる面のほぼ全面である背側接合部Ｊ２を、それぞれ腹側部材２及び背側部材３に接着剤で接合される。股部シート４の材料は、不織布であるが、これに限らず、腹側部材２及び背側部材３の内面シート１０１及び外面シート１０２と同様の材料を使用することができる。
【００１５】
図１から図３に示すように、股部シート４は、腹側部材２と背側部材３に架け渡される方向を長手方向とする、略長方形状である。股部シート４の腹側端縁４ｃは、腹側部材２の胴周り弾性部材１２ａと胴周り弾性部材１２ｂとの間に位置する。股部シート４の背側端縁４ｄは、背側部材３の胴周り弾性部材１２ｅの領域内の上部に位置する。股部シート４の幅方向の両端部が吸収体２０側へ折り返され、その折り目が股部材４の左右側縁４ａ，４ｂを形成している。股部シート４の折り返し片の端縁４ｅ，４ｆは、股部シート４に配置される吸収体２０の最大幅部分の左右の外側に位置する。なお、これに限らず、股部シート４の折り返し片の端縁４ｅ，４ｆは、吸収体２０の内縁に位置してもよい。股部材４の幅、すなわち左右側縁４ａ，４ｂ間の距離は、吸収体２０の最大幅よりも広くなっている。なお、股部シート４の形状は、略長方形状に限られず、腹側端縁又は背側端縁が曲線である帯状であってもよい。股部材４が腹側部材２又は背側部材３に接合される位置及び大きさは、前記したものに限られず、おむつのサイズや形状に合わせて適宜変更してよい。
【００１６】
図１から図３に示すように、吸収体２０は、股部シート４の中央に配置される。吸収体２０の長手方向の長さは、股部シート４の長手方向の長さより少し短い。吸収体２０の長さは、着用者の鼠蹊部上端から仙骨上端までの長さが好ましい。吸収体２０の腹側の最大幅は、着用者の鼠蹊部の幅に合わせることが好ましい。吸収体２０の背側の最大幅は、腹側の最大幅と同じであるが、これに限らず、腹側の最大幅より大きく、股部材４の左右幅よりも小さくしてもよい。吸収体２０は、砂時計形状に形成されており、最大幅を有する腹側幅広部２０ａ及び背側幅広部２０ｃの間に、最小幅を有するくびれ部２０ｂを有している。吸収体２０は、吸収紙、綿状パルプ、高分子吸収材などの組合せで構成されており、尿や血液などの液状体を素早く吸収して、内部に保持する。
【００１７】
図２に示すように、吸収体２０は、下から順に、下層ティッシュ２２ｂ、吸収材２１、上層ティッシュ２２ａが積層されており、上層ティッシュ２２ａの上に下層ティッシュ２２ｂの折り返し片が重ねられて接合された構造を有する。吸収材２１は、粉砕パルプと高分子吸収材を混合して成形される。上層ティッシュ２２ａは、吸収材２１の上面全体を覆う吸収紙である。下層ティッシュ２２ｂは、吸収材２１の下面全体を覆う吸収紙である。
【００１８】
図２に示すように、股部材４は、下から順に、股部シート４、バックシート２４、吸収体２０、トップシート２３が積層され、トップシート２３の上に股部シート４の折り返し片が重ねられ接合された構造を有する。トップシート２３は、吸収体２０の上面全体を覆うシート部材であり、使い捨ておむつ１の内側において着用者の肌に触れる側に配置される。トップシート２３は、例えば、不織布などの液透過性材料で形成され、おむつ１内に排出された尿や血液等を透過させて、吸収体２０へ送る。バックシート２４は、吸収体２０の下面全体を覆うシート部材であり、股部シート４上に固定される。バックシート２４は、例えば、ポリエチレンフィルムなどの液不透過性材料から形成され、トップシート２３を透過した液状体、吸収体２０が吸収しきれなかった液状体が股部シート４や外部へ漏れるのを防止する。
【００１９】
図１から図３に示すように、股部弾性部材２５は、股部側縁弾性部材２５ａ、腹側接続弾性部材２５ｂ、股部底弾性部材２５ｃを含んでいる。股部弾性部材２５はいずれも、股部シート４の長手方向に伸長された状態で配置される。各股部弾性部材２５の破線で示した部分は、伸張された状態の各股部弾性部材２５が股部シート４と接着剤などで接合される部分であり、張力を有する部分である。股部弾性部材２５は、胴周り弾性部材１２、第１脚周り弾性部材１３、及び第２脚周り弾性部材１４よりも、高い張力を有している。股部弾性部材２５のうち、腹側接続弾性部材２５ｂは、最も高い張力を有している。
【００２０】
図１から図３に示すように、股部側縁弾性部材２５ａは、股部シート４とその左右の折り返し片との間で接合される。股部側縁弾性部材２５ａは、股部材４の左右端部４ａ，４ｂである折り目に１本ずつ、それより中央寄りに１本ずつ、配置されている。股部側縁弾性部材２５ａの張力を有する部分は、腹側部材２に重ねられて接合される腹側接合部Ｊ１、及び、背側部材３に重ねられて接合される背側接合部Ｊ２との間に間隙を有している。言わば、股部側縁弾性部材２５ａは、腹側接合部Ｊ１及び腹側部材２に接続されておらず、背側接合部Ｊ２及び背側部材３にも接続されていない。股部材４を備えた使い捨ておむつ１が着用されたときに、股部側縁弾性部材２５ａの張力を有する部分は、腹側の端部が、着用者の恥骨付近に位置し、背側の端部が、着用者の坐骨付近に位置することが好ましい。
【００２１】
図１から図３に示すように、腹側接続弾性部材２５ｂは、股部シート４とバックシート２４との間で接着剤などで接合される。腹側接続弾性部材２５ｂは、左右の股部側縁弾性部材２５ａより中央側に、１本ずつ配置されている。腹側接続弾性部材２５ｂは、吸収体２０の腹側の最大幅部分２０ａの左右外側に位置する。腹側接続弾性部材２５ｂの張力を有する部分の腹側の端部は、股部材４の腹側接合部Ｊ１に重なる位置にある。股部材４が腹側接合部Ｊ１で腹側部材２に接合されることにより、腹側接続弾性部材２５ｂは腹側部材２に接続される。腹側接続弾性部材２５ｂの背側の端部は、股部材４の背側接合部Ｊ２に重ならず、背側部材３に接続されない。腹側接続弾性部材２５ｂの背側の端部は、股部側縁弾性部材２５ａの背側の端部よりも、腹側接合部Ｊ１寄りにある。使い捨ておむつ１が着用されたとき、腹側接続弾性部材２５ｂの張力を有する部分は、腹側の端部が、着用者の鼠蹊部上部に位置し、背側の端部が、着用者の坐骨付近に位置することが好ましい。
【００２２】
図４及び図６に示すように、腹側部材２に接続された腹側接続弾性部材２５ｂの張力は、腹側部材２の胴周り弾性部材１２及び第１脚周り弾性部材１３に対して横切る方向に働いて、腹側部材２を股部材４側に引き寄せるので、腹側部材２の上端縁７の中央部７ａを引き下げる。
【００２３】
図３、図４及び図６に示すように、使い捨ておむつ１が着用者に着用されるとき、股部材４の一対の腹側接続弾性部材２５ｂ，２５ｂが腹側部材２に接続されており、腹側部材２と股部材４は互いに引き合うので、着用者へのフィット性が高い。一対の腹側接続弾性部材２５ｂ，２５ｂは、吸収体２０の腹側の最大幅部分の左右外側に位置しており、着用者の鼠蹊部の両外側に位置する。股部材４の左右側部は、股部側縁弾性部材２５ａ及び腹側接続弾性部材２５ｂが接合されており、ギャザーが形成される。股部材４のギャザーを形成された左右側部は、腹側部材２に接続された腹側接続弾性部材２５ｂの張力により、両側壁のように立ち上がり、立体ギャザーの機能を発揮する。股部側縁弾性部材２５ａは腹側部材２にも背側部材３にも接続されていないので、股部材４の幅は、着用者の体形や動きに応じて伸縮可能である。このようにして、股部材４は、着用者の腹側から股間にかけての部分の側面及び底面を覆う立体的な形状となり、フィット性が高い。股部材４は、股部側縁弾性部材２５ａ、腹側接続弾性部材２５ｂの張力によって立体的形状を維持し、股部材４の左右側縁４ａ，４ｂからの排泄物の漏れを防止できる。
【００２４】
図３に示すように、股部材４の背側部材３に接合される部分は、吸収体２０の背側の最大幅よりも広い幅を有している。なお、本実施形態の吸収体２０の背側の最大幅は、腹側の最大幅と同じであるが、これに限らず、腹側の最大幅より大きくしてもよい。股部弾性部材２５は背側部材３に接続されていないので、着用者の動きにより股部弾性部材２５が収縮しても、股部材４の背側部材３に接続された部分が動かない。これより、図５及び図７に示すように、使い捨ておむつ１は、股部材４の背側の広い幅を着用者の臀部を覆うために使用することができる。
【００２５】
図１から図３に示すように、股部底弾性部材２５ｃは、股部シート４とバックシート２４との間で接合される。股部底弾性部材２５ｃは、腹側接続弾性部材２５ｂ，２５ｂより中央側に、１本ずつ配置されている。股部底弾性部材２５ｃの張力を有する部分は、股部材４に配設される吸収体の形状に合わせて配置されるのが好ましい。吸収体２０が砂時計形状である場合は、股部底弾性部材２５ｃは、吸収体２０の最小幅部分であるくびれ部２０ｂの左右側縁と、吸収体２０の腹側の最大幅部分の左右外側にある腹側接続弾性部材２５ｂとの間の隙間領域に、吸収体２０に重ならないように配置される。股部底弾性部材２５ｃは、上記隙間領域にギャザーを形成して、股部材４の底部のダブつきを抑え、着用者にフィットさせる。また、股部材４の底部の形状を安定させる。なお、股部底弾性部材２５ｃは左右に１本ずつに限らず、複数本形成してもよい。吸収体２０の腹側の最大幅と最小幅の差が小さく、上記隙間領域が小さい場合には、股部底弾性部材２５ｃは無くてもよい。
【００２６】
本実施形態では、股部側縁弾性部材２５ａが左右２本ずつ、腹側接続弾性部材２５ｂが左右１本ずつ、股部底弾性部材２５ｃが左右１本ずつであるが、これに限られない。
股部弾性部材２５は、胴周り弾性部材１２，第１脚周り弾性部材１３，第２脚周り弾性部材１４と同様に、天然ゴム、ポリウレタン樹脂、伸縮性のホットメルト等の伸縮可能な糸状の材料により形成される。また、糸状の弾性部材だけでなく、帯状やシート状の弾性部材を使用することも可能である。また、股部ギャザー１９が形成される領域全体を伸縮性シートなどの素材で形成してもよい。シート状の弾性部材を使用する場合や、股部ギャザー１９が形成される領域全体を伸縮性シートで形成する場合には、張力が、糸状の各股部弾性部材２５の延在する方向に働くようにする必要がある。
【００２７】
上述のように、本実施形態によれば、帯状でありながら、フィット性が良く、排泄物の漏れを防止できる股部材４、及び、該股部材４を備えた使い捨て下着１を提供することができる。
【００２８】
次に、本発明の他の実施形態の股部材及びこれを備えた使い捨て下着について述べる。
図８は、本実施形態の股部材４０を備えた使い捨て下着４１の弾性部材を伸長した状態での展開図である。前述の実施形態の股部材４及び使い捨て下着１と同様の構造及び機能を有する構成要素は、同一の符号を付し、または、重複する説明を適宜省略する。前述した実施形態の股部材４は、図３に示したように、伸展された状態の腹側部材２が長方形において一長辺が内側に略台形状に凹んだ形状である、使い捨て下着１に使用される。これに対して、本実施形態の股部材４０は、図８に示すように、腹側部材４２が単純な長方形状である、使い捨て下着４１に使用される。
【００２９】
図８に示すように、本実施形態の股部材４０は、腹側部材４２に重なる部分と背側部材３に重なる部分との間の距離が、前述した使い捨て下着１の股部材４における当該距離よりも短い。それに応じて、股部材４０の股部側縁弾性部材４５ａ、腹側接続弾性部材４５ｂも短くなっている。腹側接合部Ｊ４１は、股部材４０の左右側縁４０ａ，４０ｂと腹側接続弾性部材４５ｂ，４５ｂとの間の空白領域を除いて、股部材４の腹側部材４２に重ねられる領域のほぼ全体に形成される。この空白領域は、股部側縁弾性部材４５ａと腹側接合部Ｊ４１との間の間隙となる。股部側縁弾性部材４５ａと背側接合部Ｊ４２との間にも間隙が形成されている。
【００３０】
股部材４０は、一対の腹側接続弾性部材４５ｂ，４５ｂが腹側部材４２に接続されており、腹側部材４２と股部材４０は互いに引き合うので、着用者へのフィット性が高い。一対の腹側接続弾性部材４５ｂ，４５ｂは、吸収体２０の腹側の最大幅部分の左右外側に位置しており、着用者の鼠蹊部の両外側に位置する。股部材４０の左右側部は、股部側縁弾性部材４５ａ及び腹側接続弾性部材２５ｂを股部材４の長手方向に沿って接合されており、ギャザーが形成される。股部材４０のギャザーを形成された左右側部は、腹側部材４２に接続された腹側接続弾性部材４５ｂの張力により、両側壁のように立ち上がり、立体ギャザーの機能を発揮する。股部側縁弾性部材４５ａは腹側部材４２にも背側部材３にも接続されていないので、股部材４０の幅は、着用者の体形や動きに応じて伸縮可能である。このようにして、股部材４０は、着用者の腹側から股間にかけての部分の側面及び底面を覆う立体的な形状となり、フィット性が高い。股部材４０は、股部側縁弾性部材４５ａ、腹側接続弾性部材４５ｂの張力によって立体的形状を維持し、股部材４０の左右側縁４０ａ，４０ｂからの排泄物の漏れを防止できる。
【００３１】
次に、本発明の更に他の実施形態の股部材及びこれを備えた使い捨て下着について述べる。
図９は、本実施形態の股部材５０を備えた使い捨て下着５１の弾性部材を伸長した状態での展開図である。前述の実施形態の股部材４及び使い捨て下着１と同様の構造及び機能を有する構成要素は、同一の符号を付し、または、重複する説明を適宜省略する。本実施形態の股部材５０は、図９に示すように、伸展された状態の腹側部材５２が長方形において一長辺が外側に略台形状に突出した形状である、使い捨て下着５１に使用される。
【００３２】
本実施形態の股部材５０の本体である股部シート５０の大きさは、前述の実施形態の股部材４の本体である股部シート４と同じである。股部材５０の腹側端縁５０ｃと腹側部材５２の上端縁５２ａとの距離も、股部材４の当該距離と同じである。腹側接続弾性部材５５ｂ，５５ｂの腹側端部は、腹側部材５２の胴周り弾性体１２が延在する領域のすぐ下に位置している。股部材５０の腹側接合部Ｊ５１は、股部材５０の左右側縁５０ａ，５０ｂと腹側接続弾性部材５５ｂ，５５ｂとの間の空白領域を除いて、股部材５０の腹側部材５２に重ねられる広い領域のほぼ全体に形成される。上記空白領域により、股部側縁弾性部材５５ａと腹側接合部Ｊ５１との間には間隙が形成される。
【００３３】
股部材５０は、一対の腹側接続弾性部材５５ｂ，５５ｂが腹側部材５２に接続されており、腹側部材５２と股部材５０は互いに引き合うので、着用者へのフィット性が高い。一対の腹側接続弾性部材５５ｂ，５５ｂは、吸収体２０の腹側の最大幅部分の左右外側に位置しており、着用者の鼠蹊部の両外側に位置する。股部材５０の左右側部は、股部側縁弾性部材５５ａ及び腹側接続弾性部材５５ｂを接合されており、ギャザーが形成される。股部材５０のギャザーを形成された左右側部は、腹側部材５２に接続された腹側接続弾性部材５５ｂの張力により、両側壁のように立ち上がり、立体ギャザーの機能を発揮する。股部側縁弾性部材５５ａは腹側部材５２にも背側部材３にも接続されていないので、股部材５０の幅は、着用者の体形や動きに応じて伸縮可能である。このようにして、股部材５０は、着用者の腹側から股間にかけての部分の側面及び底面を覆う立体的な形状となり、フィット性が高い。股部材５０は、股部側縁弾性部材５５ａ、腹側接続弾性部材５５ｂの張力によって立体的形状を維持し、股部材５０の左右側縁５０ａ，５０ｂからの排泄物の漏れを防止できる。
【００３４】
前述した各実施形態及び変形例は、適宜組み合わせて用いることもできるが、詳細な説明は省略する。また、本発明は、以上に説明した各実施形態や変形例に限られない。例えば、吸収体の背側の最大幅は、腹側の最大幅より大きく、股部材の左右幅の範囲内としてもよい。例えば、本発明に係る股部材は、内部に吸収体がなくてもよい。また、本発明に係る股部材を備えた使い捨て下着は、股部材の内部に吸収体がなく、吸収体を備えた吸収パッドを装着して使用される、パッドホルダーであってもよい。
【産業上の利用可能性】
【００３５】
本発明は、腹側部材と背側部材とに帯状の股部材が架け渡されてなる、パンツ型使い捨ておむつやパッドホルダーを製品化するために有用である。
【符号の説明】
【００３６】
１，４１，５１  使い捨て下着
２，４２，５２  腹側部材
３  背側部材
４，４０，５０  股部材
２０  吸収体
２５，４０，５０  股部弾性部材
２５ａ，４５ａ，５５ａ  股部側縁弾性部材
２５ｂ，４５ｂ，５５ｂ  腹側接続弾性部材
２５ｃ，４５ｃ，５５ｃ  股部底弾性部材
Ｊ１，Ｊ４１，Ｊ５１  腹側接合部
Ｊ２，Ｊ４２，J５２  背側接合部  
【要約】
【課題】帯状でありながら、フィット性が良く、排泄物の漏れを防止できる股部材及び該股部材を備えた使い捨て下着を提供する。
【解決手段】使い捨て下着１の股部材４は、腹側接合部Ｊ１と、背側接合部Ｊ２と、帯状の股部材４の左右側縁に沿って接合され、各腹側接合部Ｊ１及び背側接合部Ｊ２との間に間隙を有する、少なくとも一対の股部側縁弾性部材２５ａと、股部側縁弾性部材２５ａより中央側で股部材４に接合され、腹側端部が腹側接合部Ｊ１と重なり、背側端部が背側接合部Ｊ２と重ならず、股部側縁弾性部材２５ａより張力が強い、少なくとも一対の腹側接続弾性部材２５ｂとを含む。
【選択図】図３【図１】
0005969666.tif 000002
【図２】
0005969666.tif 000003
【図３】
0005969666.tif 000004
【図４】
0005969666.tif 000005
【図５】
0005969666.tif 000006
【図６】
0005969666.tif 000007
【図７】
0005969666.tif 000008
【図８】
0005969666.tif 000009
【図９】
0005969666.tif 000010